【手続補正書】
【提出日】平成25年10月11日(2013.10.11)
【手続補正１】
【補正対象書類名】特許請求の範囲
【補正対象項目名】請求項１
【補正方法】変更
【補正の内容】
【請求項１】
主電源と、
複数の蓄電器を直列に接続した補助電源と、を備え、
前記補助電源は、前記各蓄電器の電圧を均等化する組蓄電器均等化手段により充電する電源装置であって、
前記組蓄電器均等化手段は、
前記各蓄電器にそれぞれ並列接続される複数の整流手段と、
前記主電源から入力する電力を交流波形に変換して前記各整流手段へ供給する電力供給手段と、
前記電力供給手段と前記各整流手段との間にそれぞれ配置され前記電力供給手段から前記各整流手段へ供給される電力から直流成分をそれぞれ除去する複数のフィルタリング手段と、を有し、
前記各整流手段は、
前記各蓄電器の低電位側にアノードが接続される第１整流素子と、
前記各蓄電器の高電位側にカソードが接続される第２整流素子と、
前記第１整流素子のカソードおよび前記第２整流素子のアノードが接続される中点と、を有し、
前記電力供給手段は、前記各整流手段の前記各中点へそれぞれの前記フィルタリング手段を介して電力供給することを特徴とする電源装置。
【手続補正２】
【補正対象書類名】特許請求の範囲
【補正対象項目名】請求項２
【補正方法】変更
【補正の内容】
【請求項２】
主電源と、
複数の蓄電器を直列に接続した補助電源と、を備え、
前記補助電源は、前記各蓄電器の電圧を均等化する組蓄電器均等化手段により充電する電源装置であって、
前記組蓄電器均等化手段は、
前記各蓄電器にそれぞれ並列接続される複数のブリッジ整流器と、
複数の出力部を有する変圧器と、
前記主電源から入力する電力を交流波形に変換して前記変圧器に供給する電力供給手段と、を有し、
前記各ブリッジ整流器は、前記変圧器の対応する出力部に入力端が接続されるとともに、対応する前記蓄電器の高電位側に出力端が接続されて構成され、
前記電力供給手段は、前記各ブリッジ整流器の入力端へ前記変圧器を介して電力供給することを特徴とする電源装置。
【手続補正３】
【補正対象書類名】明細書
【補正対象項目名】０００９
【補正方法】変更
【補正の内容】
【０００９】
上記の課題を解決するため、請求項１に係る電源装置の構成上の特徴は、主電源と、
複数の蓄電器を直列に接続した補助電源と、を備え、
前記補助電源は、前記各蓄電器の電圧を均等化する組蓄電器均等化手段により充電する電源装置であって、
前記組蓄電器均等化手段は、
前記各蓄電器にそれぞれ並列接続される複数の整流手段と、
前記主電源から入力する電力を交流波形に変換して前記各整流手段へ供給する電力供給手段と、
前記電力供給手段と前記各整流手段との間にそれぞれ配置され前記電力供給手段から前記各整流手段へ供給される電力から直流成分をそれぞれ除去する複数のフィルタリング手段と、を有し、
前記各整流手段は、
前記各蓄電器の低電位側にアノードが接続される第１整流素子と、
前記各蓄電器の高電位側にカソードが接続される第２整流素子と、
前記第１整流素子のカソードおよび前記第２整流素子のアノードが接続される中点と、を有し、
前記電力供給手段は、前記各整流手段の前記各中点へそれぞれの前記フィルタリング手段を介して電力供給することである。
【手続補正４】
【補正対象書類名】明細書
【補正対象項目名】００１０
【補正方法】変更
【補正の内容】
【００１０】
請求項１の電源装置によれば、電力供給手段が主電源から入力する電力を交流波形に変換し、変換した電力から直流成分を複数のフィルタリング手段がそれぞれ除去して各整流手段の各中点へ電力供給する。各中点の電圧が、蓄電器の高電位側の電圧より高いときには、中点から第２整流素子を介して蓄電器に電力が供給されて蓄電器が充電される。その後、蓄電器の電圧が中点の電圧に一致すると蓄電器への充電が停止される。一方、各中点の電圧が、蓄電器の高電位側の電圧より低いときには、蓄電器から第１整流素子を介して放電される。その後、蓄電器の電圧が中点の電圧に一致すると蓄電器からの放電が停止される。このようにして、電源装置は、電力供給手段が供給する交流波形の電圧に基づき各蓄電器が充放電し、各蓄電器の電圧を均等化する。
【手続補正５】
【補正対象書類名】明細書
【補正対象項目名】００１２
【補正方法】変更
【補正の内容】
【００１２】
請求項２に係る電源装置の構成上の特徴は、主電源と、
複数の蓄電器を直列に接続した補助電源と、を備え、
前記補助電源は、前記各蓄電器の電圧を均等化する組蓄電器均等化手段により充電する電源装置であって、
前記組蓄電器均等化手段は、
前記各蓄電器にそれぞれ並列接続される複数のブリッジ整流器と、
複数の出力部を有する変圧器と、
前記主電源から入力する電力を交流波形に変換して前記変圧器に供給する電力供給手段と、を有し、
前記各ブリッジ整流器は、前記変圧器の対応する出力部に入力端が接続されるとともに、対応する前記蓄電器の高電位側に出力端が接続されて構成され、
前記電力供給手段は、前記各ブリッジ整流器の入力端へ前記変圧器を介して電力供給することである。
【手続補正６】
【補正対象書類名】明細書
【補正対象項目名】００１３
【補正方法】変更
【補正の内容】
【００１３】
請求項２の電源装置によれば、電力供給手段が主電源から入力する電力を交流波形に変換し、変換した電力は複数の出力部を有する変圧器に入力されて、その各出力部に接続される各ブリッジ整流器の入力端へそれぞれ電力供給する。各ブリッジ整流器の入力端の電圧が、蓄電器の高電位側の電圧より高いときには、入力端からブリッジ整流器を介して蓄電器に電力が供給されて蓄電器が充電される。その後、蓄電器の電圧がブリッジ整流器の入力端の電圧に一致すると蓄電器への充電が停止される。このようにして、電源装置は、電力供給手段が供給する交流波形の電圧に基づき各蓄電器が充電され、各蓄電器の電圧を均等化する。
【手続補正７】
【補正対象書類名】明細書
【補正対象項目名】００２９
【補正方法】変更
【補正の内容】
【００２９】
電力供給部４４は、主電源９から入力する電力を交流波形に変換して充電電力ＰＷ（本実施例では、ローレベルとハイレベルとの電位差が３Ｖの矩形波）を生成しキャパシタ部４３の各キャパシタＣ１〜Ｃ４に出力する。
各キャパシタＣ１〜Ｃ４は、充電電力ＰＷから直流成分を除去して整流部４２の各整流ユニットＤ１〜Ｄ４に接続する。
各整流ユニットＤ１〜Ｄ４は、それぞれが２個を直列に接続した一対のダイオードＤ１ａ，Ｄ１ｂと、Ｄ２ａ，Ｄ２ｂと、Ｄ３ａ，Ｄ３ｂと、Ｄ４ａ，Ｄ４ｂと、からなり、また、それぞれが各キャパシタＣＰ１〜ＣＰ４に並列接続されている。ここで、ダイオードＤ１ａ，Ｄ２ａ，Ｄ３ａ，Ｄ４ａが本発明の第１整流素子に対応し、またダイオードＤ１ｂ，Ｄ２ｂ，Ｄ３ｂ，Ｄ４ｂが本発明の第２整流素子に対応する。
【手続補正８】
【補正対象書類名】明細書
【補正対象項目名】００６０
【補正方法】変更
【補正の内容】
【００６０】
変圧器５０は、入力Ｔ０に最大電位差が３Ｖの正弦波を入力すると、第１の出力Ｔ１、第２の出力Ｔ２、第３の出力Ｔ３、及び第４の出力Ｔ４から最大電位差が３Ｖの正弦波を出力するように構成される。変圧器５０は、入力Ｔ０に充電電力ＰＷを接続し、第１の出力Ｔ１、第２の出力Ｔ２、第３の出力Ｔ３、及び第４の出力Ｔ４が、整流部５１が有するそれぞれのブリッジ整流器Ｄ１０，Ｄ１１，Ｄ１２及びＤ１３の入力端（交流側）に接続される。ここで、第１の出力Ｔ１、第２の出力Ｔ２、第３の出力Ｔ３、及び第４の出力Ｔ４が、本発明の出力部に対応する。